(57)【要約】【課題】単一の冷却ファンで冷却可能とし部品点数を削減し、低コストで、しかも装置の小型化を可能とする。【解決手段】画像記録装置において、箱体２０３内に、空気吸引ポンプ配置室８００と電装部配置室８０１とを区画する隔壁８０２を設け、空気吸引ポンプ配置室８００に空気吸引ポンプ２０１を配置し、電装部配置室８０１に空気吸引ポンプ２０１を駆動する電装部９００を配置し、隔壁８０２に外気を電装部配置室８０１に吸引して空気吸引ポンプ配置室８００に送る冷却ファン８２０を配置している。【選択図】図４
2004167699.tif 000002
【特許請求の範囲】
【請求項１】
外部空間からその内部空間まで周壁を貫通する複数の貫通孔を有するドラムと、前記ドラムの内部空間から空気を吸引する空気吸引手段と、前記ドラムを回転する回転手段と、前記ドラムに記録材料を給送する給送手段と、前記ドラムの外周面上に保持された記録材料を露光する露光手段と、を有し、
前記給送手段により給送された記録材料を、前記空気吸引手段による吸引により生じる前記外部空間と前記内部空間との間の気圧差により前記ドラムの外周面上に保持し、前記ドラムの外周面上に保持された記録材料を前記露光手段により露光して画像を形成し、
前記空気吸引手段は、空気吸引ポンプと、前記ドラムの内部空間から前記空気吸引ポンプまでを密閉して連通させる管路と、前記空気吸引ポンプを収納する箱体とを有する画像形成装置において、
前記箱体内に、空気吸引ポンプ配置室と電装部配置室とを区画する隔壁を設け、
前記空気吸引ポンプ配置室に前記空気吸引ポンプを配置し、前記電装部配置室に前記空気吸引ポンプを駆動する電装部を配置し、
前記隔壁に外気を前記電装部配置室に吸引して前記空気吸引ポンプ配置室に送る冷却ファンを配置したことを特徴とする画像記録装置。
【請求項２】
前記隔壁の空気吸引ポンプ配置室側に、冷却ファン配置室を区画する箱状の冷却ファン取付壁を設け、
この冷却ファン取付壁に前記冷却ファンを取り付け、
前記隔壁に前記電装部配置室と前記冷却ファン配置室とを連通する通風口を設け、
前記箱体に外気を前記電装部配置室に導く電装部側外気取入口を設けるとともに、外気を前記冷却ファン配置室に導く冷却ファン側外気取入口を設けたことを特徴とする請求項１に記載の画像記録装置。
【請求項３】
前記箱体内の下部に前記空気吸引ポンプ配置室を配置し、前記箱体内の上部に前記電装部配置室を配置し、前記箱体に前記電装部配置室を開放する開閉可能なカバーを設けたことを特徴とする請求項１または請求項２に記載の画像記録装置。
【請求項４】
前記空気吸引ポンプ配置室は、防音断熱材により区画したことを特徴とする請求項１乃至請求項３のいずれか１項に記載の画像記録装置。
【発明の詳細な説明】
【０００１】
【発明の属する技術分野】
この発明は、ドラムの外周面上に保持されたシートを露光する画像記録装置に関するものである。
【０００２】
【従来の技術】
近年、色分解網原稿フィルムを、切り貼りなどしたフィルムからではなく、ＤＴＰと呼ばれる装置で、色分解された文字網原稿画像データや写真網原稿画像データやベタ画像網原稿画像データなどの画像データから、画像データ上で切り貼りなどして、色分解網原稿画像データを作成し、イメージセッタと呼ばれる装置で、この色分解網原稿画像データから色分解網原稿フィルムを作成したり、ＣＴＰと呼ばれる装置で、直接、印刷版を作成することが行われている。
【０００３】
このようなＤＴＰを用いたシステムで行う校正作業としては、色分解網原稿画像データから色分解網原稿フィルムを作成し、色分解網原稿フィルムからカラープルーフを作成する方法だけでなく、色分解網原稿画像データから、直接、カラープルーフを作成するＤＣＰが、最近、行われている。
【０００４】
このＤＣＰには、色分解網原稿画像データに基づいて、ハロゲン化銀カラー写真感光材料をＬＥＤやレーザ光などによって露光することで、カラープルーフを作成するものなどがある。
【０００５】
このようなシートに画像を露光する画像記録装置には、外部空間からその内部空間まで周壁を貫通する複数の貫通孔を有するドラムと、このドラムの内部空間から空気を吸引する空気吸引手段と、ドラムを回転する回転手段と、ドラムにシートを給送する給送手段と、ドラムの外周面上に保持されたシートを露光する露光手段とを有し、給送手段により給送されたシートを、空気吸引手段による吸引により生じる外部空間と内部空間との間の気圧差によりドラムの外周面上に保持し、ドラムの外周面上に保持されたシートを露光手段により露光するものがある。
【０００６】
ところで、ドラムにシートを吸引させる空気吸引手段が発熱し、特に吸引露光が長時間行なわれると、空気吸引手段の発熱を防止し、外部に配置される機器や部材等に悪影響を及ぼすことがないように配慮することが要望される。
【０００７】
このため、空気吸引手段のエアーブロアから排出して記録装置に循環させる経路に冷却装置を配置して冷却するものがある（例えば特許文献１）。また、空気吸引手段のブロワーユニットの電装部はブロワーの下部に在り、ブロワーの冷却ファンはブロワーの上側から冷却し、電装部には別の冷却ファンが設けられているものがある（例えば特許文献２）。
【０００８】
【特許文献１】
特開２００１−１９１６１４号公報（第１〜第５頁、図２）
【０００９】
【特許文献２】
特開２００１−２１５６２４号公報（第１〜第５頁、図３）
【００１０】
【発明が解決しようとする課題】
ところで、特許文献１のものでは、記録装置に循環させる経路に冷却装置を配置して冷却するからエアーブロア自体を冷却する構造ではない。また、特許文献２のものでは、電装部とブロワーとがそれぞれ専用の冷却ファンで冷却されるために、部品点数が増加し、コストが嵩み、さらに冷却ファンの配置スペースの確保が困難で装置が大型化する。
【００１１】
この発明は、以上の問題点に鑑みてなされたもので、単一の冷却ファンで冷却可能とし部品点数を削減し、低コストで、しかも装置の小型化を可能とする画像記録装置を提供することを目的としている。
【００１２】
【課題を解決するための手段】
前記課題を解決し、かつ目的を達成するために、この発明は、以下のように構成した。
【００１３】
請求項１に記載の発明は、外部空間からその内部空間まで周壁を貫通する複数の貫通孔を有するドラムと、前記ドラムの内部空間から空気を吸引する空気吸引手段と、前記ドラムを回転する回転手段と、前記ドラムに記録材料を給送する給送手段と、前記ドラムの外周面上に保持された記録材料を露光する露光手段と、を有し、
前記給送手段により給送された記録材料を、前記空気吸引手段による吸引により生じる前記外部空間と前記内部空間との間の気圧差により前記ドラムの外周面上に保持し、前記ドラムの外周面上に保持された記録材料を前記露光手段により露光して画像を形成し、
前記空気吸引手段は、空気吸引ポンプと、前記ドラムの内部空間から前記空気吸引ポンプまでを密閉して連通させる管路と、前記空気吸引ポンプを収納する箱体とを有する画像形成装置において、
前記箱体内に、空気吸引ポンプ配置室と電装部配置室とを区画する隔壁を設け、
前記空気吸引ポンプ配置室に前記空気吸引ポンプを配置し、前記電装部配置室に前記空気吸引ポンプを駆動する電装部を配置し、
前記隔壁に外気を前記電装部配置室に吸引して前記空気吸引ポンプ配置室に送る冷却ファンを配置したことを特徴とする画像記録装置である。
【００１４】
この請求項１に記載の発明によれば、冷却ファンにより外気を吸い込み空気吸引ポンプを冷却しつつ、電装部の冷却を行うことができ、単一の冷却ファンで空気吸引ポンプと電装部の冷却を可能とし部品点数を削減し、低コストで、しかも装置の小型化が可能である。
【００１５】
請求項２に記載の発明は、前記隔壁の空気吸引ポンプ配置室側に、冷却ファン配置室を区画する箱状の冷却ファン取付壁を設け、
この冷却ファン取付壁に前記冷却ファンを取り付け、
前記隔壁に前記電装部配置室と前記冷却ファン配置室とを連通する通風口を設け、
前記箱体に外気を前記電装部配置室に導く電装部側外気取入口を設けるとともに、外気を前記冷却ファン配置室に導く冷却ファン側外気取入口を設けたことを特徴とする請求項１に記載の画像記録装置である。
【００１６】
この請求項２に記載の発明によれば、冷却ファンの駆動により外気を冷却ファン側外気取入口から冷却ファン配置室に導いて空気吸引ポンプ配置室内に送り込み空気吸引ポンプを冷却する。この冷却ファンの駆動による冷却ファン配置室内が負圧になり、この負圧により通風口から電装部配置室内の加熱された空気を冷却ファン配置室内に吸引して空気吸引ポンプ配置室内に送る。これにより電装部配置室内が負圧になって電装部側外気取入口から外気を導入し、この冷たい外気によって電装部の冷却を行うことができ、単一の冷却ファンで空気吸引ポンプと電装部の冷却が可能である。
【００１７】
請求項３に記載の発明は、前記箱体内の下部に前記空気吸引ポンプ配置室を配置し、前記箱体内の上部に前記電装部配置室を配置し、前記箱体に前記電装部配置室を開放する開閉可能なカバーを設けたことを特徴とする請求項１または請求項２に記載の画像記録装置である。
【００１８】
この請求項３に記載の発明によれば、箱体に電装部配置室を開放する開閉可能なカバーを設けたから、カバーを開けることで上方から電装部の保守点検を容易に行なうことができる。
【００１９】
請求項４に記載の発明は、前記空気吸引ポンプ配置室は、防音断熱材により区画したことを特徴とする請求項１乃至請求項３のいずれか１項に記載の画像記録装置である。
【００２０】
この請求項４に記載の発明によれば、空気吸引ポンプ配置室が防音断熱材により区画され、外部に配置される機器や部材等への熱影響を軽減させ、かつ騒音を低減させることができる。
【００２１】
【発明の実施の形態】
以下、この発明の画像記録装置の実施の形態について説明する。なお、この発明は、実施の形態に限定されるものではない。この発明の画像記録装置を適用したカラープルーフ作成装置は、図１乃至図８に示すように構成される。図１はカラープルーフ作成装置の概略構成図、図２は露光装置の概略構成を示す正面図、図３は露光装置の概略構成を示す平面図、図４は箱体に空気吸引ポンプを配置した状態を示す図、図５は図４のＶ−Ｖ線に沿う断面図、図６は図４のＶＩ−ＶＩ線に沿う断面図、図７は冷却ファンの平面図、図８は電装部の平面図である。
【００２２】
カラープルーフ作成装置１の装置本体２には、露光ユニット３及び現像処理ユニット４が備えられている。露光ユニット３の上部には、現像部側にセット部７が配置される。セット部７には、記録材料遮光用カバー９が開閉可能に設けられ、記録材料遮光用カバー９によりロール状の感光材料またはペーパー等の記録材料を収納したシート箱１０がセット可能である。
【００２３】
現像処理ユニット４の側部には排紙部１５が設けられ、処理された感光材料が排紙部１５に排出される。
【００２４】
露光ユニット３には、給紙部２０、主走査部３０、副走査部４０及びアキュームレータ部６０が備えられている。給紙部２０には、搬送ローラ対２１、カッター部２２及び回転ローラ２３が備えられている。搬送ローラ対２１によりシート箱１０から記録材料を引き出して、カッター部２２で所定の長さに切断し、回転ローラ２３を介して主走査部３０へ送る。
【００２５】
主走査部３０及び副走査部４０が記録材料に画像を記録する露光部５００を構成し、主走査部３０には、円筒を構成するドラム３１が回転可能に設けられ、記録材料がドラム３１の外表面に吸着されて一体に回転する。ドラム３１に対向して光学ユニット３２が配置され、光学ユニット３２は副走査部４０によりドラム軸と平行に移動可能になっている。光学ユニット３２は、デジタル画像信号を受けてドラム３１に吸着された記録材料にレーザービームで露光して画像の書き込みを行い、書込手段３００を構成している。
【００２６】
アキュームレータ部６０は、露光部５００から露光された記録材料を現像処理する現像処理ユニット４に備えられるプロセッサ部６００へ受け渡すために、記録材料を一時停留させる。このアキュームレータ部６０は、書き込みが終了した記録材料をドラム３１から剥離してプロセッサ部６００へ送り込む。このとき、プロセッサ部６００の搬送速度の方が露光部５００の排紙速度より遅い場合は、排紙速度が高速のままアキュームレータ部６０に送り込み、記録材料をアキュームレータ部６０に垂れ下がるようにしてアキュームさせ、プロセッサ部６００との搬送タイミングを合わせ、露光部５００の処理能力を落とさないようにしている。
【００２７】
現像処理ユニット４のプロセッサ部６００には、第２露光部４１（以下、反転露光ダイレクトポジ感材の例で記載する）、現像部４２、定着部４３、安定部４４及び乾燥部４５が備えられている。第２露光部４１により露光部５００で露光されなかった部分の記録材料が疑似画像を形成し、第２露光された記録材料は、現像部４２、定着部４３及び安定部４４へ搬送して現像処理され、この処理された記録材料は乾燥部４５で乾燥して排紙部１５へ送出される。
【００２８】
次に、露光装置の構成を、図１乃至図３に基づいて詳細に説明する。
【００２９】
セット部７には、シート箱１０が記録材料の先端を所定長さ引き出した状態で、給紙部２０の搬送ローラ対２１のローラ２１ａ，２１ｂの間の位置にセットする。記録材料の搬送中は、ローラ２１ｂを搬送位置に移動させて記録材料を対向するローラ２１ａ，２１ｂとの間で圧着する。カッター部２２と回転ローラ２３との間には、エンコーダローラ２５及びガイド２６が設けられ、これらで給送手段４００が構成される。エンコーダローラ２５は記録材料の搬送により回転して記録材料の送り量を検出する。
【００３０】
回転ローラ２３は、ローラ移動機構２７により圧着位置と解除位置へ移動可能になっている。この回転ローラ２３は、ドラム給排紙モータＭ４により駆動される。ローラ移動機構２７は、回転ローラ圧着解除モータＭ５により作動する。
【００３１】
主走査部３０のドラム３１の両端の軸部３１ａ，３１ｂは、軸受３３ａ，３３ｂを介して支持台３４ａ，３４ｂに回転可能に軸支されている。ドラム３１の一方の軸部３１ａには、駆動プーリ３５ａが設けられ、この駆動プーリ３５ａはドラム回転モータＭ６の出力プーリ３５ｂとベルト３６により連結され、回転手段１００を構成するドラム回転モータＭ６の駆動によりドラム３１が回転する。また、ドラム３１の一方の軸部３１ｂには、ロータリーエンコーダ３７が設けられ、回転パルスを出力してドラム回転に同期した画素クロック制御に用いる。
【００３２】
ドラム３１の他方の軸部３１ａは、空気吸引手段２００を構成する吸引ブロアに連結されている。ドラム３１は中空体で形成され、表面には貫通孔３ｌｃが形成され、空気吸引手段２００の駆動によりドラム３１の内部が減圧されて記録材料がドラム３１の表面に吸着される。
【００３３】
光学ユニット３２には、ＬＥＤやレーザ光などの光源が、各波長相当に対応して複数あり、例えばドラム３１上の記録材料に画像を露光する書込手段３００が構成される。
【００３４】
光学ユニット３２は、移動手段７００によりドラム軸方向に移動可能になっている。移動手段７００は、光学ユニット３２の移動をガイドするガイド部材３４１，３４２と、光学ユニット３２を移動する回転可能なボールネジ３４０とを有し、このボールネジ３４０は駆動モータＭ７により回転される。駆動モータＭ７はモータ軸３４３を有し、モータ軸出力側にカップリング３４４を介してボールネジ３４０の一端部が設けられ、駆動モータＭ７のモータ軸非出力側に重り３４５が設けられている。
【００３５】
この重り３４５は、円筒状に形成されているが、これに限定されず、三角筒状、四角筒状などであってもよく、駆動モータＭ７のロータ慣性モーメントを擬似的に増加させており、振動に影響がある共振周波数ｆを変化することができ、簡単な構造で、ボールネジ３４０の振動を抑えることが可能である。
【００３６】
駆動モータＭ７の駆動により、カップリング３４４を介してボールネジ３４０が正回転、または逆回転して光学ユニット３２がドラム軸と平行に移動する。
【００３７】
この露光部５００からプロセッサ部６００へ受け渡すために、記録材料を一時停留させるアキュームレータ部６０は、ドラム３１に吸引された記録材料を剥離する剥離ガイド６１、この剥離ガイド６１に対向して配置された搬送ガイド６２、剥離された記録材料を搬送する搬送ローラ６３、アキュームレータ部６０におけるプロセッサ部６００のシート入口側に配された排出ローラ６４とを有し、ドラム３１に巻かれた記録材料を剥離してプロセッサ部６００へ送る。
【００３８】
空気吸引手段２００は、図４乃至図８に示すように、空気吸引ポンプ２０１と、ドラム３１の内部空間から空気吸引ポンプ２０１までを密閉して連通させる管路２０２と、空気吸引ポンプ２０１及び電装部７００を収納する箱体２０３とを有する。
【００３９】
箱体２０３の内部には、空気吸引ポンプ配置室８００と電装部配置室８０１とを区画する隔壁８０２が横方向に設けられ、空気吸引ポンプ配置室８００内には空気吸引ポンプ２０１が配置され、電装部配置室８０１内には電装部９００が配置されている。箱体２０３内の下部に空気吸引ポンプ配置室８００を配置し、箱体２０３内の上部に電装部配置室８０１を配置し、箱体２０３の上面には電装部配置室８０１を開放する開閉可能なカバー８０３が設けられている。
【００４０】
空気吸引ポンプ配置室８００の内部は、縦壁２０４により排気室２０５が区画され、縦壁２０４には開口２０４ａが形成されている。この開口２０４ａにより空気吸引ポンプ配置室８００から空気が排気室２０５に導かれる。
【００４１】
空気吸引ポンプ配置室８００には、床板２０７が設けられ、この床板２０７上には、空気吸引ポンプ２０１が載置され、この空気吸引ポンプ２０１は吸入口部２０１ａ及び排気口部２０１ｂを有している。
【００４２】
吸入口部２０１ａは、箱体２０３から外部に突出し、この吸入口部２０１ａには管路２０２が接続され、空気吸引ポンプ２０１の駆動により管路２０２を介して吸引されて記録材料Ｐがドラム３１の外周面上に保持される。
【００４３】
排気口部２０１ｂには、排気ダクト２６０の入口側２６０ａが接続され、排気ダクト２６０の出口側２６０ｂが縦壁２０４の上部の連通部２６１に取り付けられ、排気が排気室２０５の上方に排出される。この排気室２０５からの排気は、空気吸引ポンプ配置室８００から開口２０４ａを介して導かれる空気と混合され、排気温度を低下して外部に排出される。
【００４４】
排気室２０５には下側に排出口２０５ａが設けられ、この排出口２０５ａから混合気が床側に向けて排出される。このように排気室２０５が空気吸引ポンプ配置室８００から区画され、空気吸引ポンプ２０１からの排気が排気室２０５内で外気と混合して排出されるから、空気吸引ポンプ２０１の駆動による箱体２０３内の温度上昇を抑えることができる。
【００４５】
隔壁８０２の空気吸引ポンプ配置室側には、冷却ファン配置室８５０を区画する箱状の冷却ファン取付壁８５１を設け、この冷却ファン取付壁８５１には、冷却ファン８２０が空気吸引ポンプ２０１の上方位置に２個配置されている。
【００４６】
隔壁８０２には電装部配置室８０１と冷却ファン配置室８５０とを連通する通風口８３１が設けられている。さらに、箱体２０３には、外気を電装部配置室８０１に導く電装部側外気取入口８３２を設けるとともに、外気を冷却ファン配置室８５０に導く冷却ファン側外気取入口８３３を設けている。
【００４７】
電装部９００は、基板７１０と、基板７１０に実装されたインバータ７１１、リレー７１２、直流リアクトル７１３、端子台７１４、ブレーカ７１５等からなり、空気吸引ポンプ２０１の駆動源の電動機を単相電源に接続しても３相電源に変換して使用することができるようになっている。この電装部９００は、カバー８０３を開けることで上方から保守点検を容易に行なうことができる。また、箱体２０３の上部には、電源スイッチ７１６が設けられている。
【００４８】
この冷却ファン８２０の駆動により外気を冷却ファン側外気取入口８３３から冷却ファン配置室８５０に導いて空気吸引ポンプ配置室８００内に送り込み空気吸引ポンプ２０１を冷却する。この冷却ファン８２０の駆動による冷却ファン配置室８５０内が負圧になり、この負圧により通風口８３１から電装部配置室８０１内の加熱された空気を冷却ファン配置室８５０内に吸引して空気吸引ポンプ配置室８００内に送る。これにより電装部配置室８０１内が負圧になって電装部側外気取入口８３２から外気を導入し、この冷たい外気によって電装部９００の冷却を行うことができ、単一の冷却ファン８２０で空気吸引ポンプ２０１と電装部９００の冷却が可能である。
【００４９】
このように、冷却ファン８２０により外気を吸い込み空気吸引ポンプ２０１を冷却しつつ、電装部９００の冷却を行うことができ、単一の冷却ファン８２０で空気吸引ポンプ２０１と電装部９００の冷却を可能とし部品点数を削減し、低コストで、しかも冷却ファンが兼用できる分装置の小型化が可能である。
【００５０】
この実施の形態では、箱体２０３の外装を構成する床板２０７、前側側壁８６０、左右側壁８６１，８６２、奥側壁８６３及び隔壁８０２、さらに冷却ファン取付壁８５１が例えばスポンジ等で形成した防音断熱材で構成される。また、縦壁２０４も同様に例えばスポンジ等で形成した防音断熱材で構成され、この縦壁２０４の防音断熱材には、開口２０４ａが形成されている。
【００５１】
この開口２０４ａから空気吸引ポンプ配置室８００内に送り込み空気吸引ポンプ２０１を冷却した空気が排気室２０５に排出され、空気吸引ポンプ２０１の排気と混合して排出口２０５ａから排気されるが、冷却ファン８２０の容量や空気吸引ポンプ２０１の容量によっては空気吸引ポンプ２０１の排気の一部が排気室２０５から開口２０４ａを通って空気吸引ポンプ配置室８００内にも入り込み、空気吸引ポンプ配置室８００内の空気と混合して空気吸引ポンプ２０１を冷却することもある。
【００５２】
また、右側壁８６２の防音断熱材に形成された多数の長孔の開口８６２ａから空気吸引ポンプ配置室８００内に送り込み空気吸引ポンプ２０１を冷却した空気が外部に排出される。
【００５３】
このように、空気吸引ポンプ配置室８００が防音断熱材により区画され、外部に配置される機器や部材等への熱影響を軽減させ、かつ騒音を低減させることができる。また、前側側壁８６０は、空気吸引ポンプ２０１の保守点検のために着脱可能になっている。
【００５４】
【発明の効果】
以上詳細に説明したように、請求項１に記載の発明では、冷却ファンにより外気を吸い込み空気吸引ポンプを冷却しつつ、電装部の冷却を行うことができ、単一の冷却ファンで空気吸引ポンプと電装部の冷却を可能とし部品点数を削減し、低コストで、しかも冷却ファンが兼用できる分装置の小型化が可能である。
【００５５】
請求項２に記載の発明では、冷却ファンの駆動により外気を冷却ファン側外気取入口から冷却ファン配置室に導いて空気吸引ポンプ配置室内に送り込み空気吸引ポンプを冷却し、かつ通風口から電装部配置室内の加熱された空気を冷却ファン配置室内に吸引して空気吸引ポンプ配置室内に送り、これにより電装部配置室内が負圧になって電装部側外気取入口から外気を導入し、この冷たい外気によって電装部の冷却を行うことができ、単一の冷却ファンで空気吸引ポンプと電装部の冷却が可能である。
【００５６】
請求項３に記載の発明では、箱体に電装部配置室を開放する開閉可能なカバーを設けたから、カバーを開けることで上方から電装部の保守点検を容易に行なうことができる。
【００５７】
請求項４に記載の発明では、空気吸引ポンプ配置室が防音断熱材により区画され、外部に配置される機器や部材等への熱影響を軽減させ、かつ騒音を低減させることができる。
【図面の簡単な説明】
【図１】カラープルーフ作成装置の概略構成図である。
【図２】露光装置の概略構成を示す正面図である。
【図３】露光装置の概略構成を示す平面図である。
【図４】箱体に空気吸引ポンプを配置した状態を示す図である。
【図５】図４のＶ−Ｖ線に沿う断面図である。
【図６】図４のＶＩ−ＶＩ線に沿う断面図である。
【図７】冷却ファンの平面図である。
【図８】電装部の平面図である。
【符号の説明】
１  カラープルーフ作成装置
２  装置本体
３  露光ユニット
４  現像処理ユニット
３１  ドラム
２００  空気吸引手段
２０１  空気吸引ポンプ
２０２  管路
２０３  箱体
７００  電装部
８００  空気吸引ポンプ配置室
８０１  電装部配置室
８０２  隔壁
８０３  カバー
８２０  冷却ファン
８３１  通風口
８３２  電装部側外気取入口
８３３  冷却ファン側外気取入口
８５０  冷却ファン配置室
８５１  冷却ファン取付壁
【図１】
2004167699.tif 000003
【図２】
2004167699.tif 000004
【図３】
2004167699.tif 000005
【図４】
2004167699.tif 000006
【図５】
2004167699.tif 000007
【図６】
2004167699.tif 000008
【図７】
2004167699.tif 000009
【図８】
2004167699.tif 000010